(57)【特許請求の範囲】
【請求項１】
無線通信端末において、
該無線通信端末において音声通話サービスのアプリケーションが起動されていることを検出する検出部と、
通信相手となる無線局から送信された無線局情報を取得する取得部と、
前記検出部によって前記音声通話サービスのアプリケーションが起動されていることが検出された場合に、前記無線局から前記無線局情報を受信する無線受信機が常時オン状態となるように設定し、かつ前記取得部によって取得された前記無線局情報に基づいて前記無線受信機が前記無線局情報を受信処理する受信処理間隔を第１の間隔に設定し、前記検出部によって前記音声通話サービスのアプリケーションが起動されていることが検出されなかった場合に、前記無線通信端末の画面がオフ状態となってから一定時間が経過した時点で前記無線受信機がオフ状態となるように設定する制御部と、
を備え、
前記第１の間隔は、待ち受け中の前記音声通話サービスの着信を受信可能とする時間間隔である、
ことを特徴とする無線通信端末。
【請求項２】
前記制御部は、前記検出部によって前記音声通話サービスのアプリケーションが起動されていることが検出されなかった場合に、前記無線通信端末の画面がオフ状態となってから一定時間が経過した時点で前記無線受信機がオフ状態となるように設定し、かつ前記取得部によって取得された前記無線局情報に基づいて前記無線受信機が前記無線局情報を受信処理する受信処理間隔を前記第１の間隔以上の第２の間隔に設定する、
ことを特徴とする請求項１に記載の無線通信端末。
【請求項３】
前記検出部は、前記音声通話サービスに対する自端末の認証が済んでいる場合に、前記音声通話サービスのアプリケーションが起動されていることを検出したとする、
ことを特徴とする請求項１または２に記載の無線通信端末。
【請求項４】
前記検出部は、自端末内に、前記音声通話サービスを管理するネットワーク上のサーバに関する情報が登録されている場合に、前記音声通話サービスのアプリケーションが起動されていることを検出したとする、
ことを特徴とする請求項１または２に記載の無線通信端末。
【請求項５】
前記制御部は、前記無線通信端末の画面が消灯状態であり、かつ前記音声通話サービスの着信の待ち受け状態にあるときに、前記無線受信機が前記無線局情報を受信処理する受信処理間隔を前記第１の間隔に設定する、
ことを特徴とする請求項１に記載の無線通信端末。
【請求項６】
無線通信端末における無線通信方法であって、
該無線通信端末において音声通話サービスのアプリケーションが起動されていることを検出し、
前記音声通話サービスのアプリケーションが起動されていることが検出された場合に、通信相手となる無線局から無線局情報を受信する無線受信機が常時オン状態となるように設定し、
前記無線局から送信された前記無線局情報を取得し、
取得された前記無線局情報に基づいて前記無線受信機が前記無線局情報を受信処理する受信処理間隔を、待ち受け中の前記音声通話サービスの着信を受信可能とする時間間隔に設定し、
前記音声通話サービスのアプリケーションが起動されていることが検出されなかった場合に、前記無線通信端末の画面がオフ状態となってから一定時間が経過した時点で前記無線受信機がオフ状態となるように設定する、
ことを特徴とする無線通信方法。
【発明の詳細な説明】
【技術分野】
【０００１】
この発明は、無線通信端末及び無線通信方法に関する。
【背景技術】
【０００２】
近年、携帯電話機やスマートフォンなどの無線通信端末を用いたシステムにおいて、ＶｏＩＰ（Ｖｏｉｃｅ  ｏｖｅｒ  Ｉｎｔｅｒｎｅｔ  Ｐｒｏｔｏｃｏｌ）を利用した音声通話サービスや、Ｐ２Ｐ（ピアツーピア）技術を利用したＳｋｙｐｅ（登録商標）などの音声通話サービスが提供されている。また、無線通信端末において、３Ｇ（３ｒｄ  Ｇｅｎｅｒａｔｉｏｎ）回線などの携帯電話網とＷＬＡＮ（Ｗｉｒｅｌｅｓｓ  Ｌｏｃａｌ  Ａｒｅａ  Ｎｅｔｗｏｒｋ）の両方に接続可能な端末がある。
【０００３】
従来、アクセスポイントからのビーコンを間欠受信する間隔を、無線通信端末上で動作しているアプリーションの動作モードに応じて設定するようにした無線通信端末がある（例えば、特許文献１参照）。また、アクセスポイントがビーコンの送信周期を算出し、ビーコンの送信周期を、算出された送信周期に変更し、変更後の送信周期でビーコンを無線通信端末に送信する方法がある（例えば、特許文献２参照）。この方法によれば、無線通信端末のビーコン受信間隔は、アクセスポイントのビーコン送信間隔となる。また、アクセスポイントによって送信されたビーコンを受信し、ビーコンから最大リッスン間隔を取得し、最大リッスン間隔をビーコンの受信間隔に設定する無線通信端末がある（例えば、特許文献３参照）。
【先行技術文献】
【特許文献】
【０００４】
【特許文献１】特開２００４−１２８９４９号公報
【特許文献２】特開２０１０−１４７６７２号公報
【特許文献３】特表２００９−５２９２９９号公報
【発明の概要】
【発明が解決しようとする課題】
【０００５】
上述した複数のネットワークに接続可能な無線通信端末は、いずれかのネットワークに接続してＶｏＩＰやＳｋｙｐｅなどの音声通話サービスによって通話先の無線通信端末との間で音声通話を行うことができる。ＷＬＡＮに接続して音声通話サービスの提供を受ける場合、無線通信端末を、常にＷＬＡＮの無線局であるアクセスポイントとの通信が可能な状態に保つことによって、無線通信端末は、待ち受け中の着信に対応することができる。無線通信端末は、アクセスポイントによって送信されたビーコンを常に受信することによって、アクセスポイントとの通信を行える状態を保つことができる。
【０００６】
しかしながら、無線通信端末が待ち受け中にビーコンをアクセスポイントの送信間隔で受信したのでは、ＷＬＡＮ用の送受信機が頻繁に動作することになるため、待ち受け中の消費電力が増えてしまうという問題点がある。一方、無線通信端末が待ち受け中にビーコンを最大リッスン間隔で受信したのでは、ビーコンの受信間隔が長過ぎるため、待ち受け中に着信があった場合にユーザに着信を知らせるタイミングが遅れてしまう。そのため、ユーザがその着信に応答することができないことがあるという問題点がある。
【０００７】
１つの側面では、本発明は、待ち受け中の音声通話サービスの着信に応答することが可能な無線通信端末及び無線通信方法を提供することを目的とする。
【課題を解決するための手段】
【０００８】
無線通信端末は、検出部、取得部及び制御部を備えている。検出部は、音声通話サービスのアプリケーションが起動されていることを検出する。取得部は、通信相手となる無線局から送信された無線局情報を取得する。制御部は、検出部によって音声通話サービスのアプリケーションが起動されていることが検出された場合に、無線局から無線局情報を受信する無線受信機が常時オン状態となるように設定する。制御部は、取得部によって取得された無線局情報に基づいて無線受信機が無線局情報を受信処理する受信処理間隔を第１の間隔に設定する。第１の間隔は、待ち受け中の音声通話サービスの着信を受信可能とする時間間隔である。
【発明の効果】
【０００９】
待ち受け中の音声通話サービスの着信に応答することができるという効果を奏する。
【図面の簡単な説明】
【００１０】
【図１】図１は、実施例１にかかる無線通信端末を示すブロック図である。
【図２】図２は、実施例１にかかる無線通信方法を示すフローチャートである。
【図３】図３は、実施例２にかかる無線通信端末のハードウェア構成を示すブロック図である。
【図４】図４は、実施例２にかかる無線通信端末の機能的構成を示すブロック図である。
【図５】図５は、Ｓｋｙｐｅによる音声通話サービスの仕組みを示すブロック図である。
【図６】図６は、ＶｏＩＰによる音声通話サービスの仕組みを示すブロック図である。
【図７】図７は、ＷＬＡＮ接続情報の一例を示す図表である。
【図８】図８は、実施例２にかかる無線通信方法の一例を示すフローチャートである。
【図９】図９は、図８に示すフローチャートのステップＳ１４〜ステップＳ１５の詳細を示すフローチャートである。
【図１０】図１０は、図８に示すフローチャートのステップＳ１８〜ステップＳ１９の詳細を示すフローチャートである。
【図１１】図１１は、基地局情報の送信間隔とビーコンの受信間隔との関係を示すタイミングチャートである。
【図１２】図１２は、実施例２にかかる無線通信方法の別の例を示すフローチャートである。
【図１３】図１３は、実施例２にかかる無線通信方法のさらに別の例を示すフローチャートである。
【発明を実施するための形態】
【００１１】
以下に、この発明にかかる無線通信端末及び無線通信方法の実施例を図面に基づいて詳細に説明する。なお、この実施例によりこの発明が限定されるものではない。
【００１２】
（実施例１）
図１は、実施例１にかかる無線通信端末を示すブロック図である。図１に示すように、無線通信端末１は、検出部２、取得部３及び制御部４を備えている。検出部２は、音声通話サービスのアプリケーションを検出する。取得部３は、通信相手となる図示しない無線局から送信された無線局情報を取得する。
【００１３】
制御部４は、検出部２によって音声通話サービスのアプリケーションが起動されていることが検出された場合に、無線局から無線局情報を受信する無線受信機５が常時オン状態となるように設定する。制御部４は、取得部３によって取得された無線局情報に基づいて無線受信機５が無線局情報を受信処理する受信処理間隔を第１の間隔に設定する。第１の間隔は、待ち受け中の音声通話サービスの着信を受信可能とする時間間隔である。
【００１４】
図２は、実施例１にかかる無線通信方法を示すフローチャートである。図２に示すように、無線通信方法が開始されると、まず、無線通信端末１は、検出部２により、音声通話サービスのアプリケーションが起動されていることを検出する（ステップＳ１）。音声通話サービスのアプリケーションが起動されていることが検出されない場合（ステップＳ１：Ｎｏ）、ステップＳ１に戻る。音声通話サービスのアプリケーションが起動されていることが検出された場合に（ステップＳ１：Ｙｅｓ）、無線通信端末１は、制御部４により、通信相手となる無線局から無線局情報を受信する無線受信機５が常時オン状態となるように設定する（ステップＳ２）。
【００１５】
そして、無線通信端末１は、取得部３により、無線局から送信されて無線受信機５により受信された無線局情報を取得する（ステップＳ３）。また、無線通信端末１は、制御部４により、取得された無線局情報に基づいて無線受信機５が無線局情報を受信処理する受信処理間隔を、待ち受け中の音声通話サービスの着信を受信可能とする時間間隔に設定する（ステップＳ４）。そして、無線通信端末１は、一連の処理を終了する。なお、ステップＳ２〜ステップＳ４の順序は問わない。
【００１６】
実施例１によれば、音声通話サービスを利用している間、待ち受け状態でも無線受信機が常時オン状態となり、無線受信機が、待ち受け中の着信を受信可能とする時間間隔で無線局情報を受信する。それによって、無線通信端末１のユーザは、待ち受け中の音声通話サービスの着信に応答することができる。
【００１７】
（実施例２）
実施例２は、実施例１にかかる無線通信端末１を携帯電話機またはスマートフォンなどの無線通信端末に適用した例である。実施例２では、無線通信端末は、複数のネットワーク、例えば３Ｇ回線などの携帯電話網とＷＬＡＮの両方に接続可能であるとする。
【００１８】
また、実施例２では、無線通信端末が携帯電話網に接続する場合の通信相手の無線局を基地局と称し、無線通信端末がＷＬＡＮに接続する場合の通信相手の無線局をアクセスポイントと称する。なお、無線通信端末は、ＷｉＭＡＸ（商標登録）（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）方式やその他の方式のネットワークに接続可能であってもよい。
【００１９】
図３は、実施例２にかかる無線通信端末のハードウェア構成を示すブロック図である。図３に示すように、無線通信端末１１は、第１のＲＦ（Ｒａｄｉｏ  Ｆｒｅｑｕｅｎｃｙ）送受信機１２、無線受信機として例えば第２のＲＦ送受信機１３、ディスプレイ１４、入力キー１５、メモリ１６、スピーカ１７、マイク１８、ＣＰＵ（Ｃｅｎｔｒａｌ  Ｐｒｏｃｅｓｓｉｎｇ  Ｕｎｉｔ、中央処理装置）１９及び音声回路２０を備えている。
【００２０】
第１のＲＦ送受信機１２は、アンテナ２１及びＣＰＵ１９に接続されている。第１のＲＦ送受信機１２は、アンテナ２１を介して携帯電話網から無線信号を受信し、受信信号から受信データを生成してＣＰＵ１９へ渡す。第１のＲＦ送受信機１２は、ＣＰＵ１９から渡された送信データから送信信号を生成し、アンテナ２１を介して携帯電話網へ無線信号を送信する。
【００２１】
第２のＲＦ送受信機１３は、アンテナ２２及びＣＰＵ１９に接続されている。第２のＲＦ送受信機１３は、アンテナ２２を介してＷＬＡＮから無線信号を受信し、受信信号から受信データを生成してＣＰＵ１９へ渡す。第２のＲＦ送受信機１３は、ＣＰＵ１９から渡された送信データから送信信号を生成し、アンテナ２２を介してＷＬＡＮへ無線信号を送信する。
【００２２】
ディスプレイ１４は、ＣＰＵ１９に接続されている。ディスプレイ１４は、ＣＰＵ１９の出力データに基づいて文字や画像を表示する。ディスプレイ１４の表面にタッチパネルが取り付けられていて、タッチパネルによって文字や記号が入力されるようになっていてもよい。
【００２３】
入力キー１５は、ＣＰＵ１９に接続されている。入力キー１５は、ＣＰＵ１９に対する文字や記号の入力に用いられる。
【００２４】
メモリ１６は、ＣＰＵ１９に接続されている。メモリ１６は、ＣＰＵ１９によって実行されるオペレーティングシステム（Ｏｐｅｒａｔｉｎｇ  Ｓｙｓｔｅｍ、ＯＳ）や種々のアプリケーションなどのプログラムを記憶している。アプリケーションのプログラムの一例として、例えばＶｏＩＰやＳｋｙｐｅなどの音声通話サービスのプログラムが挙げられる。メモリ１６は、無線通信端末１１がＷＬＡＮに接続する際の接続情報を記憶する。
【００２５】
スピーカ１７は、音声回路２０に接続されている。スピーカ１７は、音声回路２０の出力信号に基づいて音声を出力する。
【００２６】
マイク１８は、音声回路２０に接続されている。マイク１８は、音声回路２０に対する音声信号の入力に用いられる。
【００２７】
音声回路２０は、ＣＰＵ１９に接続されている。音声回路２０は、マイク１８から渡された音声信号から音声データを生成してＣＰＵ１９へ渡す。音声回路２０は、ＣＰＵ１９から渡された音声データから音声信号を生成してスピーカ１７へ渡す。
【００２８】
ＣＰＵ１９は、オペレーティングシステムや種々のアプリケーションなどのプログラムを実行する。ＣＰＵ１９は、第１のＲＦ送受信機１２、第２のＲＦ送受信機１３、入力キー１５、メモリ１６及び音声回路２０から入力されるデータを処理し、第１のＲＦ送受信機１２、第２のＲＦ送受信機１３、ディスプレイ１４、メモリ１６及び音声回路２０へデータを出力する。ＣＰＵ１９は、無線通信端末１１の全体の動作を制御する。なお、無線通信端末１１は、無線通信用のＣＰＵとアプリケーションプログラムの実行用のＣＰＵとを備えていてもよい。
【００２９】
図４は、実施例２にかかる無線通信端末の機能的構成を示すブロック図である。図２に示すように、無線通信端末１１は、検出部として例えばアプリケーション検出部３１、取得部として例えばビーコン情報取得部３２、及び制御部として例えばＷＬＡＮ制御部３３を備えている。
【００３０】
アプリケーション検出部３１は、ＶｏＩＰやＳｋｙｐｅなどの音声通話サービスのアプリケーションを検出する。アプリケーション検出部３１は、例えばＳｋｙｐｅのプログラムが起動され、サインインによって自端末または自端末を使用するユーザが認証されているか否かを検出してもよい。そして、アプリケーション検出部３１は、自端末または自端末を使用するユーザが認証されている場合に、Ｓｋｙｐｅによる音声通話サービスのアプリケーションを検出したとしてもよい。
【００３１】
例えばオペレーティングシステムの一機能として実現されるタスクマネージャは、Ｓｋｙｐｅのプログラムが起動されていることを検出することができる。なお、タスクマネージャと同様の機能を実現するアプリケーションプログラムをインターネットからダウンロードして実行することにより、Ｓｋｙｐｅのプログラムが起動されていることを検出するようにしてもよい。
【００３２】
また、アプリケーション検出部３１は、自端末に、例えばＷＬＡＮへの接続を管理するＳＩＰ（Ｓｅｓｓｉｏｎ  Ｉｎｉｔｉａｔｉｏｎ  Ｐｒｏｔｏｃｏｌ）サーバの情報が記憶されており、自端末がＳＩＰサーバに接続されているか否かを検出してもよい。そして、アプリケーション検出部３１は、自端末がＳＩＰサーバに接続されている場合に、ＶｏＩＰによる音声通話サービスのアプリケーションを検出したとしてもよい。
【００３３】
ビーコン情報取得部３２は、ビーコンから無線局情報を取得する。ビーコンは、ＷＬＡＮのアクセスポイントから送信され、無線通信端末１１の第２のＲＦ送受信機１３によって受信される。ビーコン情報取得部３２は、オペレーティングシステムの一機能として実現されるＷＬＡＮドライバの一機能であってもよい。ビーコン情報取得部３２によって取得される無線局情報の一例として、例えばビーコンインターバル値及びＤＴＩＭ（Ｄｅｌｉｖｅｒｙ  Ｔｒａｆｆｉｃ  Ｉｎｄｉｃａｔｉｏｎ  Ｍｅｓｓａｇｅ）値が挙げられる。
【００３４】
アクセスポイントからビーコンインターバル値が通知されることによって、無線通信端末１１は、アクセスポイントがビーコンを送信する間隔を知ることができる。例えば、ビーコンインターバル値が１００である場合、ビーコンが１００ミリ秒ごとにアクセスポイントから送信される。
【００３５】
また、アクセスポイントからＤＴＩＭ値が通知されることによって、無線通信端末１１は、ＤＴＩＭを含むビーコンが送信される間隔を知ることができる。例えば、ＤＴＩＭ値が５である場合、ビーコン５個ごとにＤＴＩＭがアクセスポイントから送信される。ＤＴＩＭは、無線クライアント宛のデータがあることを通知するＴＩＭ（Ｔｒａｆｆｉｃ  Ｉｎｄｉｃａｔｉｏｎ  Ｍｅｓｓａｇｅ）のことである。
【００３６】
ＷＬＡＮ制御部３３は、アプリケーション検出部３１によるアプリケーションの検出結果及びビーコン情報取得部３２により取得された無線局情報に基づいて、ＷＬＡＮドライバ及び第２のＲＦ送受信機１３の動作を制御する。ＷＬＡＮ制御部３３は、後述する無線通信方法を実現するプログラムを実行することにより実現されてもよい。
【００３７】
ＷＬＡＮ制御部３３は、ＶｏＩＰやＳｋｙｐｅなどの音声通話サービスのアプリケーションが検出された場合、ＷＬＡＮドライバ及び第２のＲＦ送受信機１３を常時オン状態に設定する。また、ＷＬＡＮ制御部３３は、ビーコンを受信する間隔を、待ち受け中の音声通話サービスの着信に応答可能な時間に設定する。
【００３８】
待ち受け中の着信に応答可能な時間の一例として、例えば１〜２．５秒程度が挙げられる。これは、例えば３Ｇ回線などの携帯電話網に設けられた基地局が位置情報を報知する間隔が例えば２．５６秒であり、携帯電話網からの着信に十分対応可能な時間であるからである。また、ＬＴＥ（Ｌｏｎｇ  Ｔｅｒｍ  Ｅｖｏｌｕｔｉｏｎ）システムの携帯電話網では、基地局は、例えば１．２８秒ごとに位置情報を報知するからである。
【００３９】
つまり、ビーコンを受信する間隔が１〜２．５秒程度であれば、無線通信端末１１は、待ち受け中の音声通話サービスの着信をユーザに知らせることができる。従って、無線通信端末１１のユーザは、待ち受け中の音声通話サービスの着信に応答することができる。
【００４０】
ＷＬＡＮ制御部３３は、ＶｏＩＰやＳｋｙｐｅなどの音声通話サービスのアプリケーションが検出されなかった場合、一定時間が経過した時点でＷＬＡＮドライバ及び第２のＲＦ送受信機１３がオフ状態となるように設定する。また、ＷＬＡＮ制御部３３は、ビーコンを受信する間隔を、上述した音声通話サービスのアプリケーションが検出された場合のビーコンの受信間隔以上の時間に設定する。音声通話サービスのアプリケーションが検出された場合のビーコンの受信間隔以上の時間の一例として、例えば３秒程度が挙げられる。
【００４１】
図５は、Ｓｋｙｐｅによる音声通話サービスの仕組みを示すブロック図である。図５に示すように、無線通信端末４４，４５は、３Ｇ回線などの携帯電話網の環境４１においても、またＷｉＦｉ（商標登録）（Ｗｉｒｅｌｅｓｓ  Ｆｉｄｅｌｉｔｙ）の環境４２においても、Ｓｋｙｐｅによる音声通話サービスを利用することができる。
【００４２】
Ｓｋｙｐｅによる音声通話サービスを利用して通話元の無線通信端末４４が通話先の無線通信端末４５と音声通話をする場合、通話先の無線通信端末４５がＳｋｙｐｅを起動し、図示しないＳｋｙｐｅのサーバにログインをしてサインインをする必要がある。通話先の無線通信端末４５は、クライアント起動時にインターネットを介してスーパーノード４３に接続される。
【００４３】
Ｓｋｙｐｅによる音声通話を開始する手順は、以下の通りである。まず、通話元の無線通信端末４４は、通話先の無線通信端末４５が接続しているスーパーノード４３に対して通話先の無線通信端末４５と通話したいという通話要求のメッセージを送る。通話先の無線通信端末４５が接続しているスーパーノード４３は、通話元の無線通信端末４４からの通話要求のメッセージを受け取ると、通話元の無線通信端末４４にアクセスするように通話先の無線通信端末４５に指示する。
【００４４】
通話先の無線通信端末４５は、スーパーノード４３からの指示を受け取ると、通話元の無線通信端末４４にアクセスする。それによって、図示しないファイアウォールを通り抜けて通話元の無線通信端末４４と通話先の無線通信端末４５との間で音声通話を開始することができる。
【００４５】
通話元の無線通信端末４４や通話先の無線通信端末４５は、ＷｉＦｉの環境４２においてＷｉＦｉルータ４９に無線接続されていてもよい。ＷｉＦｉルータ４９は、ＷＬＡＮのアクセスポイントとなる。ＷｉＦｉルータ４９は、無線または有線によりプロバイダ４８のサーバを介してインターネット４７に接続される。
【００４６】
ＷｉＦｉの環境４２において、インターネット４７には、携帯電話網の環境４１におけるスーパーノード４３とは別のスーパーノード４６が接続されていてもよい。また、インターネット４７には、スーパーノード４６に接続される別の端末５０が有線または無線により接続されていてもよい。通話元の無線通信端末４４が接続しているスーパーノード４３と通話先の無線通信端末４５が接続しているスーパーノード４６とが異なる場合には、通話元の無線通信端末４４は、自端末４４が接続しているスーパーノード４３を経由して通話先の無線通信端末４５が接続しているスーパーノード４６へ通話要求のメッセージを送る。
【００４７】
携帯電話網の環境４１におけるスーパーノード４３のＩＰ（Ｉｎｔｅｒｎｅｔ  Ｐｒｏｔｏｃｏｌ）アドレスは、ＷｉＦｉの環境４２におけるスーパーノード４６のＩＰアドレスとは異なる。そのため、無線通信端末４４，４５は、携帯電話網の環境４１とＷｉＦｉの環境４２との間を行き来する際に、Ｓｋｙｐｅのサーバに対してサインインをやり直す必要がある。
【００４８】
無線通信端末がＷｉＦｉの環境４２においてスーパーノード４６に接続しており、Ｓｋｙｐｅの着信を待ち受ける状態にあるときに、消費電力を抑えるなどの理由により、無線通信端末のディスプレイの画面がオフ状態となることがある。画面がオフ状態になっても、無線通信端末のＷＬＡＮドライバやＷＬＡＮ用のＲＦ送受信機がオン状態であれば、Ｓｋｙｐｅの着信を待ち受けることができる。
【００４９】
しかし、画面がオフ状態であり、さらに無線通信端末のＷＬＡＮドライバやＷＬＡＮ用のＲＦ送受信機がオフ状態になると、無線通信端末が接続するスーパーノードが携帯電話網の環境４１におけるスーパーノード４３に自動的に切り替わらない。そのため、無線通信端末は、Ｓｋｙｐｅの着信を待ち受けることができなくなってしまう。
【００５０】
実施例２では、Ｓｋｙｐｅのアプリケーションが検出された場合、ＷＬＡＮドライバやＷＬＡＮ用のＲＦ送受信機が常時オン状態になる。それによって、無線通信端末は、Ｓｋｙｐｅを利用している間、いつでも着信を待ち受けることができる。
【００５１】
図６は、ＶｏＩＰによる音声通話サービスをの仕組み示すブロック図である。図６に示すように、通話元の無線通信端末５３及び通話先の無線通信端末５６は、ＷｉＦｉルータ５４，５５に無線接続し、ＷｉＦｉルータ５４，５５を介してプロバイダや会社内のネットワーク５２に接続する。
【００５２】
ＷｉＦｉルータ５４，５５は、ＷＬＡＮのアクセスポイントとなる。アクセスポイントにＳＩＰサーバ５１のアドレスが登録されていると、無線通信端末５３，５６がアクセスポイントに接続することによって、無線通信端末５３，５６がＳＩＰサーバ５１に登録される。そして、無線通信端末５３，５６には、ＳＩＰサーバ５１に接続するための情報がＷＬＡＮ接続情報として保存される。ＷＬＡＮ接続情報は、例えば無線通信端末１１のメモリ１６（図３参照）に記憶されてもよい。
【００５３】
図７は、ＷＬＡＮ接続情報の一例を示す図表である。図７に示すように、ＷＬＡＮ接続情報５９は、「プロファイルの名称」や「ＥＳＳＩＤ（Ｅｘｔｅｎｄｅｄ  Ｓｅｒｖｉｃｅ  Ｓｅｔ  Ｉｄｅｎｔｉｆｉｅｒ）」や「ＳＩＰ接続情報」などの項目を有するデータテーブルであり、接続候補となる通信ネットワークを示す。
【００５４】
図７に示す例では、「ｏｆｆｉｃｅ３Ｆ」及び「ｏｆｆｉｃｅ２Ｆ」は、ＳＩＰサーバ５１に接続してＶｏＩＰによる音声通話サービスを利用する際のプロファイルであり、有効なＳＩＰ接続情報を有している。「ｅｉｇｙｏｓｈｏ−１」及び「ｈｏｍｅ」は、ＳＩＰサーバ５１への接続が不要な例えばＳｋｙｐｅによる音声通話サービスを利用する際のプロファイルであり、有効なＳＩＰ接続情報を有していない。
【００５５】
図８は、実施例２にかかる無線通信方法の一例を示すフローチャートである。図８に示すように、無線通信端末１１において無線通信方法が開始されると、ＷＬＡＮ制御部３３は、アプリケーション検出部３１によってＳｋｙｐｅやＶｏＩＰによる音声通話サービスのアプリケーションが検出されたか否かを判断する（ステップＳ１１）。
【００５６】
ＷＬＡＮ制御部３３は、音声通話サービスのアプリケーションが検出されたと判断した場合（ステップＳ１１：Ｙｅｓ）、ＷＬＡＮドライバ及び第２のＲＦ送受信機１３を常時オン状態に設定する（ステップＳ１２）。そして、無線通信端末１１は、ＷＬＡＮに接続していなければ（ステップＳ１３：Ｎｏ）、ＷＬＡＮへの接続動作を行い、ＷＬＡＮに接続する。
【００５７】
既にＷＬＡＮに接続中である場合や、ＷＬＡＮへの接続動作によって接続中となった場合（ステップＳ１３：Ｙｅｓ）、ＷＬＡＮ制御部３３は、ビーコン情報取得部３２から、ビーコン情報取得部３２により取得された無線局情報を取得する（ステップＳ１４）。無線局情報は、例えばビーコンインターバル値やＤＴＩＭ値であってもよい。
【００５８】
次いで、ＷＬＡＮ制御部３３は、取得した無線局情報に基づいて、ビーコンの受信間隔を待ち受け中の音声通話サービスの着信に応答可能な時間以下に設定する（ステップＳ１５）。そして、一連の処理を終了する。
【００５９】
一方、ＷＬＡＮ制御部３３は、音声通話サービスのアプリケーションが検出されなかったと判断した場合（ステップＳ１１：Ｎｏ）、無線通信端末１１のディスプレイ１４の画面がオフ状態となった後、一定時間が経過した時点でＷＬＡＮドライバ及び第２のＲＦ送受信機１３がオフ状態となるように設定する（ステップＳ１６）。そして、無線通信端末１１は、ＷＬＡＮに接続していなければ（ステップＳ１７：Ｎｏ）、ＷＬＡＮへの接続動作を行い、ＷＬＡＮに接続する。
【００６０】
既にＷＬＡＮに接続中である場合や、ＷＬＡＮへの接続動作によって接続中となった場合（ステップＳ１７：Ｙｅｓ）、ＷＬＡＮ制御部３３は、ビーコン情報取得部３２からビーコンインターバル値やＤＴＩＭ値などの無線局情報を取得する（ステップＳ１８）。次いで、ＷＬＡＮ制御部３３は、取得した無線局情報に基づいて、ビーコンの受信間隔を待ち受け中の音声通話サービスの着信に応答可能な時間以上、すなわちステップＳ１５で設定されるビーコン受信間隔以上に設定する（ステップＳ１９）。そして、ステップＳ１１へ戻り、ステップＳ１１〜ステップＳ１９を繰り返す。
【００６１】
図９は、図８に示すフローチャートのステップＳ１４〜ステップＳ１５の詳細を示すフローチャートである。図９に示すように、ビーコン受信間隔設定処理が開始されると、ＷＬＡＮ制御部３３は、無線局情報として例えばビーコンインターバル値Ａ［ｓｅｃ］及びＤＴＩＭ値Ｂを取得する（ステップＳ２１）。次いで、ＷＬＡＮ制御部３３は、ビーコン受信間隔Ｃ［ｓｅｃ］を算出する（ステップＳ２２）。算出式は、例えば［Ｃ＝Ａ×Ｂ］であってもよい。
【００６２】
次いで、ＷＬＡＮ制御部３３は、ビーコン受信間隔Ｃが例えば２．５［ｓｅｃ］よりも小さいか否かを判断する（ステップＳ２３）。ビーコン受信間隔Ｃが例えば２．５［ｓｅｃ］よりも小さい場合（ステップＳ２３：Ｙｅｓ）、ＷＬＡＮ制御部３３は、ビーコン受信間隔Ｃが例えば１．５［ｓｅｃ］よりも大きいか否かを判断する（ステップＳ２４）。ビーコン受信間隔Ｃが例えば１．５［ｓｅｃ］よりも大きい場合（ステップＳ２４：Ｙｅｓ）、ＷＬＡＮ制御部３３は、ビーコン受信間隔をＣ［ｓｅｃ］に設定し（ステップＳ２５）、一連の処理を終了する。
【００６３】
一方、ビーコン受信間隔Ｃが例えば１．５［ｓｅｃ］よりも大きくない場合（ステップＳ２４：Ｎｏ）、ビーコン受信間隔Ｃが小さ過ぎてしまう。ビーコン受信間隔Ｃが小さ過ぎると、無線通信端末１１がビーコンを頻繁に受信することになるため、消費電力が大きくなってしまう。ビーコン受信間隔Ｃが小さ過ぎる場合には、リッスンインターバル値Ｄを適当に設定することによって、ビーコン受信間隔を、待ち受け中の音声通話サービスの着信に応答可能な時間で、かつ消費電力を抑えることができる時間に設定するのが望ましい。
【００６４】
そこで、ＷＬＡＮ制御部３３は、繰り返し数Ｎを２に設定し（ステップＳ２６）、例えば［Ｃ＝Ｃ×Ｎ］を計算してＣを求める（ステップＳ２７）。そして、ＷＬＡＮ制御部３３は、ビーコン受信間隔Ｃが例えば１．５［ｓｅｃ］よりも大きいか否かを判定する（ステップＳ２８）。ビーコン受信間隔Ｃが例えば１．５［ｓｅｃ］よりも大きい場合（ステップＳ２８：Ｙｅｓ）、ＷＬＡＮ制御部３３は、リッスンインターバル値Ｄを例えば［Ｃ／Ａ］に設定するか、ＤＴＩＭリッスンインターバル値Ｅを繰り返し数Ｎに設定する（ステップＳ２９）。そして、ＷＬＡＮ制御部３３は、ビーコン受信間隔をＣ［ｓｅｃ］に設定し（ステップＳ２５）、一連の処理を終了する。
【００６５】
繰り返し数Ｎを設定したが、ビーコン受信間隔Ｃが例えば１．５［ｓｅｃ］よりも大きくない場合（ステップＳ２８：Ｎｏ）、ビーコン受信間隔がまだ小さ過ぎるため、ＷＬＡＮ制御部３３は、［Ｎ＝Ｎ＋１］を計算して、繰り返し数Ｎを更新する（ステップＳ３０）。そして、ＷＬＡＮ制御部３３は、新たな繰り返し数Ｎを用いて、例えば［Ｃ＝Ｃ×Ｎ］を計算してＣを求める（ステップＳ２７）。
【００６６】
ＷＬＡＮ制御部３３は、繰り返し数Ｎの更新及び例えば［Ｃ＝Ｃ×Ｎ］の計算を、ビーコン受信間隔Ｃが例えば１．５［ｓｅｃ］よりも大きくなるまで繰り返す（ステップＳ２７、ステップＳ２８、ステップＳ３０）。ビーコン受信間隔Ｃが例えば１．５［ｓｅｃ］よりも大きくなったら（ステップＳ２８：Ｙｅｓ）、ＷＬＡＮ制御部３３は、リッスンインターバル値Ｄを例えば［Ｃ／Ａ］に設定し（ステップＳ２９）、ビーコン受信間隔をＣ［ｓｅｃ］に設定し（ステップＳ２５）、一連の処理を終了する。
【００６７】
また、ビーコン受信間隔Ｃが例えば２．５［ｓｅｃ］よりも小さくない場合（ステップＳ２３：Ｎｏ）、ＷＬＡＮ制御部３３は、そのままのＣをビーコン受信間隔に設定し（ステップＳ２５）、一連の処理を終了する。
【００６８】
一例を挙げる。ステップＳ２１において、ビーコンインターバル値Ａが例えば１００［ｍｓｅｃ］であり、ＤＴＩＭ値Ｂが例えば５であるとする。この場合、ステップＳ２２において、ビーコン受信間隔Ｃは例えば５００［ｍｓｅｃ］となり、小さ過ぎるため、ステップＳ２４でＮｏに分岐する。そして、繰り返し数Ｎが４になると、ビーコン受信間隔Ｃが２０００［ｍｓｅｃ］となり、１．５［ｓｅｃ］よりも大きくなる。このときのリッスンインターバル値Ｄは２０である。また、ＤＴＩＭリッスンインターバル値Ｅは４となる。
【００６９】
図１０は、図８に示すフローチャートのステップＳ１８〜ステップＳ１９の詳細を示すフローチャートである。図１０に示すように、ビーコン受信間隔設定処理が開始されると、ＷＬＡＮ制御部３３は、無線局情報として例えばビーコンインターバル値Ａ［ｓｅｃ］及びＤＴＩＭ値Ｂを取得する（ステップＳ４１）。次いで、ＷＬＡＮ制御部３３は、ビーコン受信間隔Ｃ［ｓｅｃ］を算出する（ステップＳ４２）。算出式は、例えば［Ｃ＝Ａ×Ｂ］であってもよい。
【００７０】
次いで、ＷＬＡＮ制御部３３は、ビーコン受信間隔Ｃが例えば３［ｓｅｃ］以上であるか否かを判断する（ステップＳ４３）。ビーコン受信間隔Ｃが例えば３［ｓｅｃ］以上である場合（ステップＳ４３：Ｙｅｓ）、ＷＬＡＮ制御部３３は、ビーコン受信間隔をＣ［ｓｅｃ］に設定し（ステップＳ４４）、一連の処理を終了する。
【００７１】
一方、ビーコン受信間隔Ｃが例えば３［ｓｅｃ］以上でない場合（ステップＳ４３：Ｎｏ）、ビーコン受信間隔Ｃが小さ過ぎてしまう。ビーコン受信間隔Ｃが小さ過ぎる場合には、リッスンインターバル値Ｄを適当に設定することによって、ビーコン受信間隔を大きくしてもよい。
【００７２】
そこで、ＷＬＡＮ制御部３３は、繰り返し数Ｎを２に設定し（ステップＳ４５）、例えば［Ｃ＝Ｃ×Ｎ］を計算してＣを求める（ステップＳ４６）。そして、ＷＬＡＮ制御部３３は、ビーコン受信間隔Ｃが例えば３［ｓｅｃ］以上であるか否かを判定する（ステップＳ４７）。ビーコン受信間隔Ｃが例えば３［ｓｅｃ］以上である場合（ステップＳ４７：Ｙｅｓ）、ＷＬＡＮ制御部３３は、リッスンインターバル値Ｄを例えば［Ｃ／Ａ］に設定するか、ＤＴＩＭリッスンインターバル値Ｅを繰り返し数Ｎに設定する（ステップＳ４８）。そして、ＷＬＡＮ制御部３３は、ビーコン受信間隔をＣ［ｓｅｃ］に設定し（ステップＳ４４）、一連の処理を終了する。
【００７３】
繰り返し数Ｎを設定したが、ビーコン受信間隔Ｃが例えば３［ｓｅｃ］以上でない場合（ステップＳ４７：Ｎｏ）、ビーコン受信間隔がまだ小さ過ぎるため、ＷＬＡＮ制御部３３は、［Ｎ＝Ｎ＋１］を計算して、繰り返し数Ｎを更新する（ステップＳ４９）。そして、ＷＬＡＮ制御部３３は、新たな繰り返し数Ｎを用いて、例えば［Ｃ＝Ｃ×Ｎ］を計算してＣを求める（ステップＳ４６）。
【００７４】
ＷＬＡＮ制御部３３は、繰り返し数Ｎの更新及び例えば［Ｃ＝Ｃ×Ｎ］の計算を、ビーコン受信間隔Ｃが例えば３［ｓｅｃ］以上になるまで繰り返す（ステップＳ４６、ステップＳ４７、ステップＳ４９）。ビーコン受信間隔Ｃが例えば３［ｓｅｃ］以上になったら（ステップＳ４７：Ｙｅｓ）、ＷＬＡＮ制御部３３は、リッスンインターバル値Ｄを例えば［Ｃ／Ａ］に設定し（ステップＳ４８）、ビーコン受信間隔をＣ［ｓｅｃ］に設定し（ステップＳ４４）、一連の処理を終了する。
【００７５】
一例を挙げる。ステップＳ４１において、ビーコンインターバル値Ａが例えば１００［ｍｓｅｃ］であり、ＤＴＩＭ値Ｂが例えば５であるとする。この場合、ステップＳ４２において、ビーコン受信間隔Ｃは例えば５００［ｍｓｅｃ］となり、小さ過ぎるため、ステップＳ４３でＮｏに分岐する。そして、繰り返し数Ｎが６になると、ビーコン受信間隔Ｃが３０００［ｍｓｅｃ］となり、３［ｓｅｃ］以上となる。このときのリッスンインターバル値Ｄは３０である。また、ＤＴＩＭリッスンインターバル値Ｅは６となる。
【００７６】
図１１は、基地局情報の送信間隔とビーコンの受信間隔との関係を示すタイミングチャートである。図１１において、上段は、音声通話サービスを検出しなかった場合のタイミングチャート６１である。下段は、音声通話サービスを検出した場合のタイミングチャート６２である。
【００７７】
また、「画面オフ処理」は、無線通信端末１１のディスプレイ１４の画面をオフ状態にする処理を表す。「ＷＬＡＮオフ処理」は、無線通信端末１１のＷＬＡＮドライバ及び第２のＲＦ送受信機１３をオフ状態にする処理を表す。「基地局の位置情報受信間隔」は、携帯電話網に設けられた基地局が報知した位置情報を無線通信端末１１が受信する間隔を表す。「ビーコン受信間隔」は、アクセスポイントから送信されたビーコンを無線通信端末１１が受信する間隔を表す。
【００７８】
図１１のタイミングチャート６１に示すように、音声通話サービスを検出しなかった場合、画面がオフ状態になってから一定時間、例えば１５分が経過した時点で、無線通信端末１１のＷＬＡＮドライバ及び第２のＲＦ送受信機１３がオフ状態になる。ＷＬＡＮドライバ及び第２のＲＦ送受信機１３がオフ状態になるまでは、ビーコン受信間隔は、例えば基地局の位置情報受信間隔よりも長くなっている。
【００７９】
それに対して、図１１のタイミングチャート６２に示すように、音声通話サービスを検出した場合、画面がオフ状態になり、時間が経過してもＷＬＡＮドライバ及び第２のＲＦ送受信機１３はオン状態のままである。ビーコン受信間隔は、例えば基地局の位置情報受信間隔とほぼ同じ程度である。
【００８０】
図１２は、実施例２にかかる無線通信方法の別の例を示すフローチャートである。この例では、ユーザが動作モードを設定し、無線通信端末１１のＷＬＡＮ制御部３３は、自動モードの場合にビーコン受信間隔を自動で設定する。
【００８１】
図１２に示すように、無線通信端末１１において無線通信方法が開始されると、ＷＬＡＮ制御部３３は、ユーザの設定した動作モードを判断する（ステップＳ５１）。ＷＬＡＮ制御部３３は、ユーザが自動モードを設定したと判断した場合（ステップＳ５１：自動設定）、ビーコン受信間隔の設定を自動設定とし（ステップＳ５２）、上述したステップＳ１１〜ステップＳ１９の処理を行う。ステップＳ１１〜ステップＳ１９については、図８に示すフローチャートと同じである。従って、重複する説明を省略する。
【００８２】
一方、ＷＬＡＮ制御部３３は、ユーザが、ＷＬＡＮドライバ及び第２のＲＦ送受信機１３を常時オン状態にするモードを設定したと判断した場合（ステップＳ５１：常時オンに設定）、ＷＬＡＮドライバ及び第２のＲＦ送受信機１３を常時オン状態に設定する（ステップＳ５３）。また、ＷＬＡＮ制御部３３は、ユーザが、一定時間が経過した時点でＷＬＡＮドライバ及び第２のＲＦ送受信機１３がオフ状態となるモードに設定したと判断した場合（ステップＳ５１：一定時間経過後にオフに設定）、それに対応した設定をする。すなわち、ＷＬＡＮ制御部３３は、画面がオフ状態となった後、一定時間が経過した時点でＷＬＡＮドライバ及び第２のＲＦ送受信機１３がオフ状態となるように設定する（ステップＳ５４）。
【００８３】
図１３は、実施例２にかかる無線通信方法のさらに別の例を示すフローチャートである。この例では、ユーザが動作モードを設定し、無線通信端末１１のＷＬＡＮ制御部３３は、設定された動作モードに基づいてビーコン受信間隔を設定する。
【００８４】
図１３に示すように、ステップＳ５１〜ステップＳ５４及びステップＳ１１〜ステップＳ１９については、図１２に示すフローチャートと同じである。従って、重複する説明を省略する。
【００８５】
ステップＳ５３においてＷＬＡＮ制御部３３がＷＬＡＮドライバ及び第２のＲＦ送受信機１３を常時オン状態に設定すると、無線通信端末１１は、ＷＬＡＮに接続していなければ（ステップＳ５５：Ｎｏ）、ＷＬＡＮへの接続動作を行い、ＷＬＡＮに接続する。
【００８６】
既にＷＬＡＮに接続中である場合や、ＷＬＡＮへの接続動作によって接続中となった場合（ステップＳ５５：Ｙｅｓ）、ＷＬＡＮ制御部３３は、ビーコン情報取得部３２からビーコンインターバル値やＤＴＩＭ値などの無線局情報を取得する（ステップＳ５６）。次いで、ＷＬＡＮ制御部３３は、取得した無線局情報に基づいて、ビーコンの受信間隔を待ち受け中の音声通話サービスの着信に応答可能な時間以下に設定する（ステップＳ５７）。そして、一連の処理を終了する。
【００８７】
一方、ステップＳ５４においてＷＬＡＮ制御部３３が、画面がオフ状態となった後、一定時間が経過した時点でＷＬＡＮドライバ及び第２のＲＦ送受信機１３がオフ状態となるように設定すると、無線通信端末１１がＷＬＡＮに接続していなければ（ステップＳ５８：Ｎｏ）、ステップＳ５１へ戻り、ステップＳ５１以降を繰り返す。
【００８８】
既に無線通信端末１１がＷＬＡＮに接続中である場合（ステップＳ５８：Ｙｅｓ）、ＷＬＡＮ制御部３３は、ビーコン情報取得部３２からビーコンインターバル値やＤＴＩＭ値などの無線局情報を取得する（ステップＳ５９）。次いで、ＷＬＡＮ制御部３３は、取得した無線局情報に基づいて、ビーコンの受信間隔を待ち受け中の音声通話サービスの着信に応答可能な時間以上に設定する（ステップＳ６０）。そして、ステップＳ５１へ戻り、ステップＳ５１以降を繰り返す。
【００８９】
実施例２によれば、音声通話サービスを利用している間、待ち受け状態でもＷＬＡＮドライバ及び第２のＲＦ送受信機１３が常時オン状態となり、無線通信端末１１は、待ち受け中の着信を受信可能な時間間隔でビーコンを受信する。それによって、無線通信端末１１のユーザは、待ち受け中の音声通話サービスの着信に応答することができる。
【００９０】
また、実施例２によれば、音声通話サービスの待ち受け中にビーコンを受信する間隔は、アクセスポイントがビーコンを送信する間隔よりも長い。それによって、ＷＬＡＮドライバ及び第２のＲＦ送受信機１３が常時オン状態になっていても、消費電力を低く抑えることができる。例えば、ビーコンを受信する間隔は、携帯電話網に設けられた基地局が報知した位置情報を受信する間隔と同じ程度になる。それによって、音声通話サービスの待ち受け中にビーコンを受信することによって消費される電力を、携帯電話網に設けられた基地局が報知した位置情報を受信することによって消費される電力と同じ程度に抑えることができる。
【００９１】
上記ビーコン受信間隔制御は、画面が消灯状態の待ち受け状態で実施し、画面が点灯した状態では、ビーコン受信間隔制御を実施せず、通常のアクセスポイントからの情報に基づくビーコン受信を行ってもよい。
【００９２】
上述した実施例１，２に関し、さらに以下の付記を開示する。
【００９３】
（付記１）無線通信端末において、
該無線通信端末において音声通話サービスのアプリケーションが起動されていることを検出する検出部と、
通信相手となる無線局から送信された無線局情報を取得する取得部と、
前記検出部によって前記音声通話サービスのアプリケーションが起動されていることが検出された場合に、前記無線局から前記無線局情報を受信する無線受信機が常時オン状態となるように設定し、かつ前記取得部によって取得された前記無線局情報に基づいて前記無線受信機が前記無線局情報を受信処理する受信処理間隔を第１の間隔に設定する制御部と、
を備え、
前記第１の間隔は、待ち受け中の前記音声通話サービスの着信を受信可能とする時間間隔である、
ことを特徴とする無線通信端末。
【００９４】
（付記２）前記制御部は、前記検出部によって前記音声通話サービスのアプリケーションが起動されていることが検出されなかった場合に、前記無線受信機が一定時間経過後にオフ状態となるように設定し、かつ前記取得部によって取得された前記無線局情報に基づいて前記無線受信機が前記無線局情報を受信処理する受信処理間隔を前記第１の間隔以上の第２の間隔に設定する、
ことを特徴とする付記１に記載の無線通信端末。
【００９５】
（付記３）前記検出部は、前記音声通話サービスに対する自端末の認証が済んでいる場合に、前記音声通話サービスのアプリケーションが起動されていることを検出したとする、
ことを特徴とする付記１または２に記載の無線通信端末。
【００９６】
（付記４）前記検出部は、自端末内に、前記音声通話サービスを管理するネットワーク上のサーバに関する情報が登録されている場合に、前記音声通話サービスのアプリケーションが起動されていることを検出したとする、
ことを特徴とする付記１または２に記載の無線通信端末。
【００９７】
（付記５）前記制御部は、前記無線通信端末の画面が消灯状態であり、かつ前記音声通話サービスの着信の待ち受け状態にあるときに、前記無線受信機が前記無線局情報を受信処理する受信処理間隔を前記第１の間隔に設定する、
ことを特徴とする付記１に記載の無線通信端末。
【００９８】
（付記６）音声通話サービスのアプリケーションが起動されていることを検出し、
前記音声通話サービスのアプリケーションが起動されていることが検出された場合に、通信相手となる無線局から無線局情報を受信する無線受信機が常時オン状態となるように設定し、
前記無線局から送信された前記無線局情報を取得し、
取得された前記無線局情報に基づいて前記無線受信機が前記無線局情報を受信処理する受信処理間隔を、待ち受け中の前記音声通話サービスの着信を受信可能とする時間間隔に設定する、
ことを特徴とする無線通信方法。
【００９９】
（付記７）前記音声通話サービスのアプリケーションが起動されていることが検出されなかった場合に、前記無線受信機が一定時間経過後にオフ状態となるように設定し、かつ取得された前記無線局情報に基づいて前記無線受信機が前記無線局情報を受信処理する受信処理間隔を、待ち受け中の前記音声通話サービスの着信を受信可能とする時間間隔以上に設定する、
ことを特徴とする付記６に記載の無線通信方法。
【０１００】
（付記８）前記音声通話サービスに対する自端末の認証が済んでいる場合に、前記音声通話サービスのアプリケーションが起動されていることを検出したとする、
ことを特徴とする付記６または７に記載の無線通信方法。
【０１０１】
（付記９）自端末内に、前記音声通話サービスを管理するネットワーク上のサーバに関する情報が登録されている場合に、前記音声通話サービスのアプリケーションが起動されていることを検出したとする、
ことを特徴とする付記６または７に記載の無線通信方法。
【０１０２】
（付記１０）無線通信端末の画面が消灯状態であり、かつ無線通信端末が前記音声通話サービスの着信の待ち受け状態にあるときに、前記無線受信機が前記無線局情報を受信処理する受信処理間隔を、待ち受け中の前記音声通話サービスの着信を受信可能とする時間間隔に設定する、
ことを特徴とする付記６に記載の無線通信方法。
【符号の説明】
【０１０３】
１  無線通信端末
２  検出部
３  取得部
４  制御部
５  無線受信機
【図１】
0005861768.tif 000002
【図２】
0005861768.tif 000003
【図３】
0005861768.tif 000004
【図４】
0005861768.tif 000005
【図５】
0005861768.tif 000006
【図６】
0005861768.tif 000007
【図７】
0005861768.tif 000008
【図８】
0005861768.tif 000009
【図９】
0005861768.tif 000010
【図１０】
0005861768.tif 000011
【図１１】
0005861768.tif 000012
【図１２】
0005861768.tif 000013
【図１３】
0005861768.tif 000014